(57)【要約】      （修正有）【課題】従来の免震工法では、建築基準法の基準が厳しく開発費用と工費がかさむこと。既設家屋に免震装置を設置する工法は、家屋の基礎と土台を切り離し土台固定用の架台を設けねばならないこと。免震装置用の基礎を新たに設けたり、工事中は、家主も仮住まいする必要などがあり、それらの問題を解決する既設家屋に対応する耐震工法の提供。【解決手段】免震装置用アダプターは、Ｌ型アダプターにフレームと免震装置固定用ネコ６を設けた上部免震装置用アダプターと、プレート型アダプターに基礎固定用ネコと免震装置固定用ネコ６を設けた下部免震装置用アダプターと、免震装置固定用ネコ６とベースプレートを設けたポスト１１によるサポートで構成する免震装置用アダプターに、市販既成免震装置をセットし上下アダプター部位を既設家屋の基礎２１と土台２２の隙間に挿入してボルト５Ｃ、８Ｃ、１３Ｃやラグスクリューで固定し免震効果を発現させる。【選択図】図１１
2008285982.tif 000002
【特許請求の範囲】
【請求項１】
Ｌ型アダブターに免震装置固定ネコと大引固定用フレームを設けた上部アダブター（図１参照）
【請求項２】
プレート型アダブターに基礎固定用ネコと免震装置固定用ネコを設けた下部アダブター（図６参照）
【請求項３】
請求項１及び２の上下アダブターに拠る免震装置用アダブター（図９参照）
【請求項４】
滑りＬ型免震装置の上下滑り面に上下エッジが交差するようにエッジを加工したエッジ付き免震装（図１９参照）
【請求項５】
既製免震装置をセットした請求項３の免震装置用アダブターを土台と基礎に固定した免震装置用アダブター工法（図１１〜１６参照）
【発明の詳細な説明】
【技術分野】
【０００１】本発明は木造住宅等の建築物に設置する免震装置付住宅に関するものである。
【背景技術】
【０００２】地震大国日本の免震装置付住宅は、兵庫県南部地震以降に大手住宅メーカーやゼネコン等で新築時に設置する免震装置付住宅を開発して販売され始めたが、免震装置を一番必要としている既設木造家屋２，４５０万戸の内、非耐震既設木造住宅１，１１５万戸は、耐力壁と柱や梁等を、金物で補強する付け刃の耐力壁補修に依る耐震工事または、立て替え工事を余儀なくされている。【０００３】わが国は大地震国にも関わらず既設住宅用の免震装置の開発は、開発が難しく経済的に採算が合わないために、既設木造住宅用免震装置と既設木造住宅用免震工法の開発が進んでいないのが現状で安価な既設用免震装置の開発が急がれている。【０００４】現在既設戸建住宅に免震装置を設置するには、高層建築と同じ工法で、１、既設住宅の基礎から土台を切り離し  ２、既設住宅をジャッキアップし  ３、新たに既設住宅の下部に、免震装置用の基礎を設置して、これに  ４、免震装置をセットし、この上に  ５、架台を設け、これにジャッキアップした既設住宅の土台を、架台に固定する方法がある。【０００５】小規模の建築用免震装置は１９２４年特許となった鬼頭健三郎氏の皿型盤と球体による建築物耐震装置が有り今日でも小規模の建築用免震装置にはこれを応用した免震装置が多数使用されている。【０００６】戸建住宅用免震装置は皿型盤と球体の転がし工法や、滑り工法、積層ゴム工法の装置が主流である。【０００７】土台と基礎の隙間挿入型滑り免震装置としては、２００６年  緒方賢次郎の  特許出願２００６−１６９２９３の既設木造住宅免震工法がある
【発明の開示】
【発明が解決しようとする課題】
【０００８】従来の免震装置や免震装置付き住宅工法には下記の様な欠点があった【０００９】１．建築基準法の基準が厳しく開発費用と工期がかさむ【００１０】２．既設家屋に免震装置等を設置する工法は家屋の基礎と土台を切り離なし土台固定用の架台を設けなければならな【００１１】３．土台を切り離した既設家屋を免新装置や架台を設置できる高さまでジャッキ等によりジャッキアップしなければならない【００１２】４．免震装置用の基礎を新たに設けなければならない【００１３】５．免震装置設置工事中は１階部分の家具等を移転させ施主も仮住まいしなければならない【００１４】６．２００６年  緒方賢次郎の  特許出願２００６−１６９２９３の既設木造住宅免震工法には市販の既製免震装置を設置できないし土台や大引固定部の固定度が低く、滑り支承の摩擦係数の調整ができない
【課題を解決するための手段】
【００１５】以上のような課題を解決するためにこの発明の免震装置用アダブターは，大手住宅メーカーやゼネコン等で開発された免震装置を既設家屋住宅用に使用する工法の部品で１．Ｌ型アダブターにフレームと免震装置固定用ネコを設けた上部免震装置用アダブターと２．プレート型アダブターに基礎固定用ネコと免震装置固定用ネコを設けた下部免震装置用アダブターと３．免震装置固定用ネコとベースプレートを設けたポストによるサポートで構成する本発明の免震装置用アダブターに４．市販既製免震装置をセットし上下アダブター部位を既設家屋の基礎と土台の隙間に挿入してボルトやラグスクリューで固定し免震効果を発現させる工法で。【００１６】Ｌ型アダブターに免震装置固定用ネコと大引固定用フレームを設置した上部アダブターには【００１７】１．Ｌ型アダブターの側面には、土台または大引固定用ラグスクリュー用穴をあけ、下部面にエッジを加工しておく【００１８】２．フレームの端部には、土台や大引固定用のラグスクリュー用穴をあけたネコを設置しておく、  尚ネコにはフレーム固定ボルト用ルーズ穴をあけておく【００１９】３．免震装置固定ネコには免震装置固定用ボルト穴をあけておく【００２０】プレート型アダブターに基礎固定用ネコと免震装置固定用ネコを設けた下部アダブターには【００２１】１．プレート型アダブターの上部面に、Ｌ型アダブター下部面エッジ方向に対し交差方向にエッジを加工しておく【００２２】２．基礎固定ネコに基礎固定用ボルト穴をあけておく【００２３】３．免震装置固定ネコに免震装置固定用ボルト穴をあけておく【００２４】ポストの上部に免震装置固定ネコを下部にベースプレートを設置したサポートは【００２５】１．免震装置固定ネコに免震装置固定用ボルト穴をあけておく【００２６】２．ベースプレートに基礎や基盤用固定ボルト穴をあけておく【００２７】３．ポストは高さを調整できる機能をもたせておく【００２８】本発明のエッジ付き滑りＬ型免震装置は２００６年  緒方賢次郎  特許出願２００６−１６９２９３の既設木造住宅免震工法の滑りＬ型免震装置の上下滑り面に上下エッジが交差するようにエッジを加工しておく【００２９】本発明の免震装置用アダブター施工方法は下記の要領で施工する【００３０】１．既設家屋免震装置設置箇所の基礎上端と土台隙間の均しモルタル又は土台敷パッキンを撤去する【００３１】２．既設家屋免震装置設置箇所の既設基礎にプレート型アダブター及びサポート固定ボルト用アンカーホールを設ける。【００３２】３．既製免震装置下部支承に、サポートを固定し此れを本発明の免震装置用アダブターにセットしプレート型アダブター部位を既設基礎上端に設置して基礎に設けたアンカーホールにボルトで固定する。【００３３】４．既設家屋設置箇所土台に、既製免震装置上部支承をセットした本発明の上部免震装置用アダブターのＬ型アダブターを土台にラグスクリューで固定し、フレームを大引にラグスクリューで固定する。【００３４】５．既設住宅全ての既設基礎上端の敷きモルタル又は土台敷パッキンを撤去する。【００３５】６．既設住宅全ての既設基礎上端と、土台間のアンカーボルトを切断する。【００３６】７．７．既設家屋に、本発明の免震装置用アダブターに依る免震装置を設置していない柱の下部土台と基礎の隙間に本発明のエッジ付き免震装置の上下支承滑り面どうしを接する様に、基礎と土台にボルトとラグスクリューで固定して、滑り免震効果が発現できるようにセットする。
【発明の効果】
【００３７】本発明の免震装置用アダブターは大手住宅メーカーやゼネコンで開発済みの、既製転がり支承、既製滑り支承、既製積層ゴム支承等の既製の免震装置を使用できる【００３８】本発明の免震装置用アダブターは非耐震既設家屋を、耐震補強工事をすることなく、免震装置付き住宅に出来る。【００３９】本発明の免震装置用アダブターは既設基礎上端と土台のすきまに上下アダブターの挿入工法が施工出来るので、既設家屋のジャッキアップが不要。【００４０】本発明の免震装置用アダブター工法は、既製免震装置の下部支承にサポートを設置して処理するので免震装置用の大掛かりな基礎が不要【００４１】既設家屋のジャッキアップが不要だから設置工事は部分施工が出来るので、ユーザーは仮住まいなしで施工できる。【００４２】本発明の免震装置用アダブターは滑りＬ型鋼上部支承のフレームで大引を固定できるので上部免震装置用アダブターと大引との固定度が増す【００４３】家屋静止時は免震装置用アダブターのＬ型アダブター及びプレートアダブターで家屋の鉛直荷重を基礎に伝達するので既設基礎の補強が不要【００４４】本発明の免震装置用アダブターは滑りＬ型アダブターと滑りプレートアダブターの滑り面のエッジで滑り係数の調整ができる【００４５】本発明の免震装置用アダブターの構造が簡単で滑り面のエッジ加工とプレートの溶接等で製造でき高度の技術が不要だから安価に製造できる【００４６】本発明の免震装置用アダブターは既設基礎や土台にボルト類で固定できる構造だから、施工が簡単で、施工費が安価。【００４７】本発明の免震装置用アダブターを新設住宅にも低価格で設置できる。
【発明を実施するための最良の形態】
【００４８】本発明の免震装置用アダブター工法は【００４９】１．既設家屋免震装置設置箇所の基礎上端と土台隙間の均しモルタル又は土台パッキンを撤去する【００５０】２．既設家屋免震装置設置箇所の既設基礎に下部アダブター及びサポート固定用アンカーホールを基礎とそのスラブ部位に設ける。【００５１】３．下部免震装置用アダブターとサポートに既製免震装置下部支承をセットしてプレート型アダブター部位を既設基礎上端に設置し基礎に設けたアンカーホールにボルトで固定し更にサポートのベースプレートも基礎スラブのアンカーホールにボルトで固定する。【００５２】４．上部免震装置用アダブターに既製免震装置上部支承をセットとして既設家屋設置箇所土台に、Ｌ型アダブター部位を土台にラグスクリューで固定し、フレームを大引にラグスクリューで固定する。【００５３】５．既設家屋全ての既設基礎上端の敷きモルタル又は敷きパッキンを撤去する。【００５４】６．既設家屋全ての基礎上端と土台間のアンカーボルトを切断する。【００５５】７．既設家屋に、本発明の免震装置用アダブターに依る免震装置を設置していない柱の下部土台と基礎の隙間に本発明のエッジ付き免震装置の上下支承滑り面どうしを接する様に、基礎と土台にボルトやラグスクリューで固定し、滑り免震効果を発現できるようにセットする。
【実施例１】
【００５６】上部免震装置用アダブター２の上部既製免震装置固定用ネコ６に既製免震装置上部支承１６を固定し、下部免震装置用アダブター３の免震装置固定用ネコ９にサポート１０をセットした既製免震装置下部支承１７を固定しＬ型アダブタ４とプレート型アダブター７を既設家屋の基礎２１と土台２２の隙間２５に、挿入して基礎２１及び土台２２や大引２３にボルトやラグスクリューで固定して免震効果を発現させる本発明の免震装置用アダブター１を実施した工法の一例。（図１１参照）
【実施例２】
【００５７】Ｌ型アダブター４の側面に土台または大引固定用ラグスクリュー用穴４ａをあけ、下部面にエッジ４ｂを加工し，更に既製免震装置固定用穴６ａをあけた免震装置固定用ネコ６を設置し、端部に土台または大引固定用ネコ５ｂにラグスクリュー用穴５ａをあけたフレーム５を設置した本発明の免震装置用アダブター１の上部アダブター２（図１〜５参照）
【実施例３】
【００５８】プレート型アダブター７の上面に、Ｌ型アダブター４のエッジ４ｂと交差方向にエッジ７ｂを加工し、これに基礎固定ネコ８に基礎固定用ボルト穴８ａあけ、更に免震装置固定用ボルト穴９ａあけた免震装置固定用ネコ９を設置した本発明の免震装置用アダブター１の下部免震装置用アダブター３（図６〜８参照）
【実施例４】
【００５９】高さ調整可能なポスト１１の上部に免震装置固定用ボルト穴１２ａをあけた免震装置固定ネコ１２を設置しポスト１１の下部に、基礎固定用ボルト穴１３ａをあけたベースプレート１３を設置した本発明の免震装置用アダブター１のサポート１０（図１０参照）
【実施例５】
【００６０】緒方賢次郎  出願２００６−１６９２９３の既設木造住宅免震工法の滑りＬ型免震装置の上下滑り面にエッジ１４ｂを交差するように加工した、本発明のエッジ付き免震装置１４を既設家屋の基礎２１と土台２２及び大引２３の隙間２５に挿入して免震効果を発現させる工法の一例。（図１７〜２０参照）
【実施例６】
【００６１】上部支承１６と下部支承１７の間に鋼球５ａをセットした既製転がり免震装置１５を本発明の既製免震装置用アダブター１に固定して基礎２１及び基盤２１ｂと土台２２及び大引２３に固定した本発明の免震装置用アダブター工法の一例（図９、１３）
【実施例７】
【００６２】既製免震装置上部支承１６と下部支承１７の間に滑り摺動材５ｂをセットし免震装置用アダブター１に固定して基礎２１と土台２２及び大引２３に固定した本発明の免震装置用アダブター１工法の一例（図９、１４）
【実施例８】
【００６３】既製免震装置上部支承１６と下部支承１７の間に積層ゴム５ｃをセットし既製免震装置用アダブター１に固定して基礎２１及び基盤２１ｂと土台２２及び大引２３に固定した本発明の免震装置用アダブター１工法の一例（図９、１５）
【実施例９】
【００６４】既製転がり免震装置１５にサポート１０を固定し既製免震装置用アダブター１に溶接でセットして基礎２１と土台２２及び大引２３に固定した本発明の免震装置用アダブター１工法の一例（図９、１６）
【産業上の利用可能性】
【００６５】本発明の既製免震装置用アダブターは、大手住宅メーカーやゼネコン等で開発された転がり支承、滑り支承、積層ゴム支承等の既製免震装置が使用できるので、全国の非耐震既設木造家屋に供給でき、非耐震家屋を耐震補強する事なく耐震技術最先端の免震装置付住宅にできるし、施工費も安価で工期も短く、リホーム工事との相乗効果も期待でき、また今後建設される全ての非耐震家屋をマーケットに出来るので、住宅産業への経済効果が大きい。
【図面の簡単な説明】
【００６６】
【図１】実施例２の本発明の上部免震装置用アダブターの平面図
【図２】実施例２の本発明の上部免震装置用アダブターのＡ−Ａ側面図
【図３】実施例２の本発明の上部免震装置用アダブターのＢ−Ｂ断面図
【図４】実施例２の本発明の上部免震装置用アダブターのＣ−Ｃ断面図
【図５】実施例２の本発明の上部免震装置用アダブターのＤ−Ｄ断面図
【図６】実施例３の本発明の下部免震装置用アダブターの平面図
【図７】実施例３の本発明の下部免震装置用アダブターのＥ−Ｅ側面図
【図８】実施例３の本発明の下部免震装置用アダブターのＦ−Ｆ断面図
【図９】実施例２と３の本発明の免震装置用アダブターのＤ−Ｄ及びＦ−Ｆ断面図
【図１０】実施例４の本発明の免震装置用アダブターサポートの側面図
【図１０ａ】実施例４の本発明の免震装置用アダブターサポートの柱脚部平面図
【図１１】実施例１の既製免震装置を転がり免震装置で処理した本発明の免震装置アダブターを基礎と土台及び大引に固定した本発明の免震装置用アダブター工法の断面図
【図１２】実施例１の既製免震装置を転がり免震装置で処理した本発明の免震装置用アダブター工法地震時の断面図
【図１３】実施例１の既製免震装置を転がり免震装置で処理した本発明の免震装置アダブターを基礎及基盤と土台及び大引に固定した本発明の免震装置用アダブター工法の断面図
【図１４】実施例７の既製免震装置を滑り免震装置で処理した本発明の免震装置用アダブター工法の断面図
【図１５】実施例８の既製免震装置を積層ゴム免震装置で処理した本発明の既製免震装置用アダブター工法の断面図
【図１６】実施例９の既製転がり免震装置にサポートを溶接で固定して此れを免震装置用アダブターに溶接で処理した本発明の免震装置用アダブター工法の断面図
【図１７】実施例５の本発明のエッジ付き免震装置の上部支承の透視図
【図１８】実施例５の本発明のエッジ付き免震装置の下部支承の透視図
【図１９】実施例５の本発明のエッジ付き免震装置の透視図
【図２０】実施例５の本発明のエッジ付き免震装置の実施透視図
【符号の説明】
【００６７】  １  免震装置用アダブター
２  上部免震装置用アダブター
３  下部免震装置用アダブター
４  Ｌ型アダブター、  ４ａ  穴、  ４ｂ  エッジ、  ４ｃ  ラグスクリュー
５  フレーム、  ５ａ  穴、  ５ｂ  ネコ、  ５ｃ  ボルト
６  免震装置固定用ネコ    ６ａ  穴
７  プレート型アダブター  、７ｂ  エッジ
８  基礎固定用ネコ、  ８ａ  穴、  ８ｃ  ボルト
９  免震装置固定用ネコ、  ９ａ  穴
１０  サポート
１１  ポスト、  １１ａ  穴、  １１ｂ  ネジ
１２  免震装置固定用ネコ、  １２ａ  穴
１３  ベースプレート、  １３ａ  穴、  １３ｃ  ボルト
１４  エッジ付き滑り免震装置、  １４ａ  穴、  １４ｂエッジ、  １４ｃ  上部支承、  １４ｄ  下部支承、  １４ｅ  ボルト
１５  既製免震装置、  １５ａ  鋼球、  １５ｂ  滑り摺動材、  １５ｃ  積層ゴム
１６  既製免震装置上部支承
１７  既製免震装置下部支承
２１  基礎、  ２１ａ  基礎ベース、  ２１ｂ  基盤、  ２１ｃ  ゴムパッキン、  ２１ｄ  レベルモルタル
２２  土台、
２３  大引、
２４  柱、
２５  隙間、
凡  例
ネコ：建築用語で直交部材等を接合する部品の総称
エッジの種類：１．山型  ２．角型  ３．食パン型等  がある
【図１】
2008285982.tif 000003
【図２】
2008285982.tif 000004
【図３】
2008285982.tif 000005
【図４】
2008285982.tif 000006
【図５】
2008285982.tif 000007
【図６】
2008285982.tif 000008
【図７】
2008285982.tif 000009
【図８】
2008285982.tif 000010
【図９】
2008285982.tif 000011
【図１０】
2008285982.tif 000012
【図１０ａ】
2008285982.tif 000013
【図１１】
2008285982.tif 000014
【図１２】
2008285982.tif 000015
【図１３】
2008285982.tif 000016
【図１４】
2008285982.tif 000017
【図１５】
2008285982.tif 000018
【図１６】
2008285982.tif 000019
【図１７】
2008285982.tif 000020
【図１８】
2008285982.tif 000021
【図１９】
2008285982.tif 000022
【図２０】
2008285982.tif 000023